(57)【特許請求の範囲】
【請求項１】
互いに近づく方向に移動するようにされた第１の軸部を有する第１の回転体と、第２の軸部を有する第２の回転体とを離間させる少なくともひとつの離間部材を有し、
前記離間部材は、前記第１の軸部又は前記第２の軸部に設けられ、
前記離間部材が設けられた側とは反対側の前記第１の回転体又は前記第２の回転体が支持される支持部と、
前記第１の軸部又は前記第２の軸部が挿通される開口部であって、前記第１の軸部又は前記第２の軸部に形成された引っ掛け部が空転する空転部と、前記支持部と前記空転部との間に設けられ、前記第１の軸部又は前記第２の軸部に形成された前記引っ掛け部が引っ掛かる引っ掛かり部とを有する前記開口部とを有し、
前記第１の回転体及び前記第２の回転体を離間させる場合、前記離間部材は、前記引っ掛かり部に前記第１の軸部又は前記第２の軸部の前記引っ掛け部が挿通され、前記支持部が前記第１の回転体又は前記第２の回転体を支持し、
前記第１の回転体及び前記第２の回転体が回転する場合、前記第１の回転体又は前記第２の回転体の回転に伴い前記離間部材が回転され、前記離間部材の前記支持部が重力方向に移動されると共に、前記第１の軸部又は前記第２の軸部の前記引っ掛け部が前記離間部材の前記引っ掛かり部から前記空転部に移動され、
前記第１の軸部又は前記第２の軸部の断面形状においては少なくとも一部分が平面状に形成された引っ掛け部としての平面部を有し、前記平面部に前記離間部材の前記引っ掛かり部が引っ掛かる離間装置。
【請求項２】
前記空転部は、前記離間部材の重心の位置よりも前記支持部とは反対側に形成されている請求項１に記載の離間装置。
【請求項３】
前記離間部材が設けられた側の前記第１の回転体及び前記第２の回転体のいずれか一方は、前記離間部材が設けられていない側の前記第２の回転体及び前記第１の回転体の他方に比べ、短く形成され、前記短く形成された部位に配置されている請求項１又は２に記載の離間装置。
【請求項４】
前記支持部は、曲面状に形成されている請求項１〜３のいずれかに記載の離間装置。
【請求項５】
前記第１の軸部又は前記第２の軸部の前記引っ掛け部は、断面形状が多角形状である請求項１〜４のいずれかに記載の離間装置。
【請求項６】
前記第１の軸部又は前記第２の軸部の長手方向に沿った少なくとも一部に前記引っ掛け部としての溝が形成され、
前記離間部材には、前記溝に嵌り合う前記引っ掛かり部としての突起が形成されている請求項１〜４のいずれかに記載の離間装置。
【請求項７】
前記第１の回転体及び前記第２の回転体を離間させた状態にある場合、前記第１の軸部と前記第２の軸部とを結んだ線上において、前記第１の軸部又は前記第１の軸部の前記離間部材に接触する部分が平面部となっている請求項１から６いずれか記載の離間装置。
【請求項８】
前記第１の回転体及び前記第２の回転体を離間させた状態にある場合、前記第１の軸部と前記第２の軸部とを結んだ線上において、前記第１の軸部又は前記第１の軸部の前記離間部材に接触する部分と反対側が曲面状となっている請求項１から７いずれか記載の離間装置。
【請求項９】
互いに近づく方向に移動するようにされた第１の軸部を有する像保持体と、第２の軸部を有する転写装置とを離間させる少なくともひとつの離間部材を有する離間装置を備え、
前記離間部材は、前記第１の軸部又は前記第２の軸部に設けられ、
前記離間部材が設けられた側とは反対側の前記像保持体又は前記転写装置が支持される支持部と、
前記第１の軸部又は前記第２の軸部が挿通される開口部であって、前記第１の軸部又は前記第２の軸部に形成された引っ掛け部が空転する空転部と、前記支持部と前記空転部との間に設けられ、前記第１の軸部又は前記第２の軸部に形成された前記引っ掛け部が引っ掛かる引っ掛かり部とを有する前記開口部とを有し、
前記離間装置が前記像保持体及び前記転写装置を離間させる場合、前記離間部材は、前記引っ掛かり部に前記第１の軸部又は前記第２の軸部の前記引っ掛け部が挿通され、前記支持部が前記像保持体又は前記転写装置を支持し、
前記像保持体及び前記転写装置が回転する場合、前記像保持体又は前記転写装置の回転に伴い前記離間部材が回転され、前記離間部材の前記支持部が重力方向に移動されると共に、前記第１の軸部又は前記第２の軸部の前記引っ掛け部が前記離間部材の前記引っ掛かり部から前記空転部に移動され、前記像保持体及び前記転写装置が近づく方向に移動され、
前記第１の軸部又は前記第２の軸部の断面形状においては少なくとも一部分が平面状に形成された引っ掛け部としての平面部を有し、前記平面部に前記離間部材の前記引っ掛かり部が引っ掛かる画像形成装置。
【請求項１０】
互いに近づく方向に移動するようにされた第１の軸部を有する二次転写ロールと、第２の軸部を有する支持ロールとを離間させる少なくともひとつの離間部材を有する離間装置を備え、
前記離間部材は、前記第１の軸部又は前記第２の軸部に設けられ、
前記離間部材が設けられた側とは反対側の前記二次転写ロール又は前記支持ロールが支持される支持部と、
前記第１の軸部又は前記第２の軸部が挿通される開口部であって、前記第１の軸部又は前記第２の軸部に形成された引っ掛け部が空転する空転部と、前記支持部と前記空転部との間に設けられ、前記第１の軸部又は前記第２の軸部に形成された前記引っ掛け部が引っ掛かる引っ掛かり部とを有する前記開口部とを有し、
前記二次転写ロール及び前記支持ロールの間には移動可能な無端ベルトが設けられ、
前記離間装置が前記二次転写ロール及び前記支持ロールを離間させる場合、前記離間部材は、前記引っ掛かり部に前記第１の軸部又は前記第２の軸部の前記引っ掛け部が挿通され、前記支持部が前記二次転写ロール又は前記支持ロールを支持し、
前記無端ベルトの移動に応じて前記二次転写ロール及び前記支持ロールが回転する場合、前記二次転写ロール又は前記支持ロールの回転に伴い前記離間部材が回転され、前記離間部材の前記支持部が重力方向に移動されると共に、前記第１の軸部又は前記第２の軸部の前記引っ掛け部が前記離間部材の前記引っ掛かり部から前記空転部に移動され、前記二次転写ロール及び前記支持ロールが近づく方向に移動され、
前記第１の軸部又は前記第２の軸部の断面形状においては少なくとも一部分が平面状に形成された引っ掛け部としての平面部を有し、前記平面部に前記離間部材の前記引っ掛かり部が引っ掛かる画像形成装置。
【発明の詳細な説明】
【技術分野】
【０００１】
本発明は、離間装置及び画像形成装置に関する。
【背景技術】
【０００２】
互いに近づく方向に移動される２つの回転体を離間させる発明として、例えば、下記特許文献１には、感光ドラムと、転写ローラと、前記感光ドラムと前記転写ローラとの間にギャップを形成する第１のスペーサであって、前記感光ドラムまたは前記転写ローラの回転に応じて前記ギャップが排除される、第１のスペーサとを備え、前記第１のスペーサは、前記感光ドラムと前記転写ローラとの間に配置される取り外し可能なインサートを備え、前記取り外し可能なインサートは、前記感光ドラムと接触する摩擦表面を備え、それによって、前記取り外し可能なインサートは、前記感光ドラムまたは前記転写ローラの回転に応じて前記感光ドラムと前記転写ローラとの間に位置する第１の位置から押し出され、前記取り外し可能なインサートは、前記感光ドラムと前記転写ローラとの間から押し出されたときに、前記印刷システムのどの部分にも取り付けられた状態になく、自由落下することを特徴とする、電子写真印刷システムが開示されている。
【０００３】
また、下記特許文献２には、第１の回転体と第２の回転体とを回転可能に保持する回転体保持装置であって、前記第１の回転体と前記第２の回転体をその軸間距離が相対的に変化可能なように保持する保持手段と、前記保持手段により保持された第１及び第２の回転体の双方、もしくは一方を、相手方に接触する方向に付勢する付勢手段と、前記第１及び第２の回転体の少なくとも一方の回転体の軸に回転自在に支持されると共に、当該回転体の外周面よりも径方向外方に突出した部分を有し、当該突出部分が相手方の回転体の周部と係合することにより、前記第１の回転体と前記第２の回転体とを離間した状態に維持する係合部材とを備え、前記相手方の回転体の回転が開始されると、その回転駆動力が前記係合部材に伝達されて前記係合部材が回転し、これにより前記係合部材と前記相手方の回転体との係合状態が解除されることを特徴とする回転体保持装置の発明が開示されている。
【先行技術文献】
【特許文献】
【０００４】
【特許文献１】特開２００４−０７８２１２号公報
【特許文献２】特開２０００−３２０５３７号公報
【発明の概要】
【発明が解決しようとする課題】
【０００５】
本発明は、第１の回転体と第２の回転体が離間した状態が解除された後、離間部材が設けられた側とは反対側の回転体と離間部材との接触を防止することができる離間装置及び画像形成装置を提供することを目的とする。
【課題を解決するための手段】
【０００６】
請求項１に係る本発明は、互いに近づく方向に移動するようにされた第１の軸部を有する第１の回転体と、第２の軸部を有する第２の回転体とを離間させる少なくともひとつの離間部材を有し、前記離間部材は、前記第１の軸部又は前記第２の軸部に設けられ、前記離間部材が設けられた側とは反対側の前記第１の回転体又は前記第２の回転体が支持される支持部と、前記第１の軸部又は前記第２の軸部が挿通される開口部であって、前記第１の軸部又は前記第２の軸部に形成された引っ掛け部が空転する空転部と、前記支持部と前記空転部との間に設けられ、前記第１の軸部又は前記第２の軸部に形成された前記引っ掛け部が引っ掛かる引っ掛かり部とを有する前記開口部とを有し、前記第１の回転体及び前記第２の回転体を離間させる場合、前記離間部材は、前記引っ掛かり部に前記第１の軸部又は前記第２の軸部の前記引っ掛け部が挿通され、前記支持部が前記第１の回転体又は前記第２の回転体を支持し、前記第１の回転体及び前記第２の回転体が回転する場合、前記第１の回転体又は前記第２の回転体の回転に伴い前記離間部材が回転され、前記離間部材の前記支持部が重力方向に移動されると共に、前記第１の軸部又は前記第２の軸部の前記引っ掛け部が前記離間部材の前記引っ掛かり部から前記空転部に移動される離間装置である。
【０００７】
請求項２に係る本発明は、前記空転部は、前記離間部材の重心の位置よりも前記支持部とは反対側に形成されている請求項１に記載の離間装置である。
【０００８】
請求項３に係る本発明は、前記離間部材が設けられた側の前記第１の回転体及び前記第２の回転体のいずれか一方は、前記離間部材が設けられていない側の前記第２の回転体及び前記第１の回転体の他方に比べ、短く形成され、前記短く形成された部位に配置されている請求項１又は２に記載の離間装置である。
【０００９】
請求項４に係る本発明は、前記支持部は、曲面状に形成されている請求項１〜３のいずれかに記載の離間装置である。
【００１０】
請求項５に係る本発明は、前記第１の軸部又は前記第２の軸部の前記引っ掛け部は、断面形状が多角形状である請求項１〜４のいずれかに記載の離間装置である。
【００１１】
請求項６に係る本発明は、前記第１の軸部又は前記第２の軸部は、円柱状に形成されており、前記第１の軸部又は前記第２の軸部の長手方向に沿った少なくとも一部分が平面状に形成された引っ掛け部としての平面部を有し、前記平面部に前記離間部材の前記引っ掛かり部が引っ掛かる請求項１〜４のいずれかに記載の離間装置である。
【００１２】
請求項７に係る本発明は、前記第１の軸部又は前記第２の軸部は、円柱状に形成されており、前記第１の軸部又は前記第２の軸部の長手方向に沿った少なくとも一部に前記引っ掛け部としての溝が形成され、前記離間部材には、前記溝に嵌り合う前記引っ掛かり部としての突起が形成されている請求項１〜４のいずれかに記載の離間装置である。
【００１３】
請求項８に係る本発明は、互いに近づく方向に移動するようにされた第１の軸部を有する像保持体と、第２の軸部を有する転写装置とを離間させる少なくともひとつの離間部材を有する離間装置を備え、前記離間部材は、前記第１の軸部又は前記第２の軸部に設けられ、前記離間部材が設けられた側とは反対側の前記像保持体又は前記転写装置が支持される支持部と、前記第１の軸部又は前記第２の軸部が挿通される開口部であって、前記第１の軸部又は前記第２の軸部に形成された引っ掛け部が空転する空転部と、前記支持部と前記空転部との間に設けられ、前記第１の軸部又は前記第２の軸部に形成された前記引っ掛け部が引っ掛かる引っ掛かり部とを有する前記開口部とを有し、前記離間装置が前記像保持体及び前記転写装置を離間させる場合、前記離間部材は、前記引っ掛かり部に前記第１の軸部又は前記第２の軸部の前記引っ掛け部が挿通され、前記支持部が前記像保持体又は前記転写装置を支持し、前記第１の回転体及び前記第２の回転体が回転する場合、前記第１の回転体又は前記第２の回転体の回転に伴い前記離間部材が回転され、前記離間部材の前記支持部が重力方向に移動されると共に、前記第１の軸部又は前記第２の軸部の前記引っ掛け部が前記離間部材の前記引っ掛かり部から前記空転部に移動され、前記第１の回転体及び前記第２の回転体が近づく方向に移動される画像形成装置である。
【００１４】
請求項９に係る本発明は、互いに近づく方向に移動するようにされた第１の軸部を有する二次転写ロールと、第２の軸部を有する支持ロールとを離間させる少なくともひとつの離間部材を有する離間装置を備え、前記離間部材は、前記第１の軸部又は前記第２の軸部に設けられ、前記離間部材が設けられた側とは反対側の前記二次転写ロール又は前記支持ロールが支持される支持部と、前記第１の軸部又は前記第２の軸部が挿通される開口部であって、前記第１の軸部又は前記第２の軸部に形成された引っ掛け部が空転する空転部と、前記支持部と前記空転部との間に設けられ、前記第１の軸部又は前記第２の軸部に形成された前記引っ掛け部が引っ掛かる引っ掛かり部とを有する前記開口部とを有し、前記二次転写ロール及び前記支持ロールの間には移動可能な無端ベルトが設けられ、前記離間装置が前記二次転写ロール及び前記支持ロールを離間させる場合、前記離間部材は、前記引っ掛かり部に前記第１の軸部又は前記第２の軸部の前記引っ掛け部が挿通され、前記支持部が前記二次転写ロール又は前記支持ロールを支持し、前記無端ベルトの移動に応じて前記二次転写ロール及び前記支持ロールが回転する場合、前記二次転写ロール又は前記支持ロールの回転に伴い前記離間部材が回転され、前記離間部材の前記支持部が重力方向に移動されると共に、前記第１の軸部又は前記第２の軸部の前記引っ掛け部が前記離間部材の前記引っ掛かり部から前記空転部に移動され、前記二次転写ロール及び前記支持ロールが近づく方向に移動される画像形成装置である。
【発明の効果】
【００１５】
請求項１に係る本発明によれば、第１の回転体と第２の回転体が離間した状態が解除された後、離間部材が設けられた側とは反対側の回転体と離間部材との接触を防止することができる。
【００１６】
請求項２に係る本発明によれば、請求項１に係る本発明の効果に加え、離間部材の支持部側を重力方向に向けることができる。
【００１７】
請求項３に係る本発明によれば、請求項１又は２に係る本発明の効果に加え、離間部材が設けられる場所を確保することができる。
【００１８】
請求項４に係る本発明によれば、請求項１〜３のいずれかに係る本発明の効果に加え、支持部を方形状に形成した場合と比較して、離間部材の離間を円滑に行なうことができる。
【００１９】
請求項５に係る本発明によれば、請求項１〜４のいずれかに係る本発明の効果に加え、引っ掛け部を円状とした場合と比較して、離間部材の引っ掛かり部が引っ掛かり易くなる。
【００２０】
請求項６に係る本発明によれば、請求項１〜４のいずれかに係る本発明の効果に加え、引っ掛け部を簡単な構成とすることができる。
【００２１】
請求項７に係る本発明によれば、請求項１〜４のいずれかに係る本発明の効果に加え、離間部材の引っ掛かり部を平坦とした場合と比較して、引っ掛け部に引っ掛かり易くなる。
【００２２】
請求項８に係る本発明によれば、像保持体と転写装置が離間した状態から像保持体及び転写装置のいずれか一方の回転を利用して離間状態を解除することができる離間装置を備えた画像形成装置を得ることができる。
【００２３】
請求項９に係る本発明によれば、無端ベルトが挟まれた二次転写ロールと支持ロールが離間した状態から無端ベルトの回転を利用して二次転写ロール及び支持ロールのいずれか一方を回転させて離間した状態が解除された後、離間部材が設けられた側とは反対側の二次転写ロール又は支持ロールと離間部材との接触を防止することができる離間装置を備えた画像形成装置を得ることができる。
【図面の簡単な説明】
【００２４】
【図１】実施形態１に係る画像形成装置を示した側面断面図である。
【図２】図２Ａは実施形態１に係る画像形成装置の使用時における第１の回転体、第２の回転体及び離間装置を示した平面図であり、図２Ｂは一方から見た側面図である。
【図３】図３Ａは実施形態１に係る画像形成装置の使用前における第１の回転体、第２の回転体及び離間装置を示した平面図であり、図３Ｂは一方から見た側面図である。
【図４】図４Ａ〜図４Ｅは実施形態１に係る離間装置の使用態様を示した一方から見た側面図である。
【図５】図５Ａ〜図５Ｅは変形例１に係る離間装置の使用態様を示した一方から見た側面図である。
【図６】図６Ａ〜図６Ｅは変形例２に係る離間装置の使用態様を示した一方から見た側面図である。
【図７】図７Ａ〜図７Ｃは実施形態１に係る離間装置の他の使用例を示した一方から見た側面図である。
【図８】図８Ａは実施形態２に係る画像形成装置の使用前における第１の回転体、第２の回転体及び離間装置を示した平面図であり、図８Ｂは一方から見た側面図である。
【図９】図９Ａ〜図９Ｅは実施形態２に係る離間装置の使用態様を示した一方から見た側面図である。
【図１０】図１０Ａ〜図１０Ｃは実施形態２に係る離間装置の他の使用例を示した一方から見た側面図である。
【図１１】実施形態３に係る画像形成装置を示す側面断面図である。
【図１２】図１２Ａは実施形態３に係る画像形成装置の使用時における第１の回転体、第２の回転体及び離間装置を示した平面図であり、図１２Ｂは一方から見た側面図である。
【図１３】図１３Ａは実施形態３に係る画像形成装置の使用前における第１の回転体、第２の回転体及び離間装置を示した平面図であり、図１３Ｂは一方から見た側面図である。
【図１４】図１４Ａ〜図１４Ｅは実施形態３に係る離間装置の使用態様を示した一方から見た側面図である。
【発明を実施するための形態】
【００２５】
以下、図面を参照して本発明の実施形態を説明する。ただし、以下に示す実施形態は、本発明の技術思想を具体化するための離間装置及び画像形成装置を例示するものであって、本発明をこれに特定することを意図するものではなく、特許請求の範囲に含まれるその他の実施形態のものにも等しく適応し得るものである。
【００２６】
［実施形態１］
図１〜図４を参照して、実施形態１にかかる離間装置及びこの離間装置を備えた画像形成装置１０について説明する。まず、図１及び図２を参照して、離間装置による離間が解除された画像形成装置について説明する。
【００２７】
実施形態１の画像形成装置１０は、図１に示すように、画像形成装置本体１２を有し、この画像形成装置本体１２の内部に、少なくとも１つの給紙ユニット１８と、画像形成手段１４と、定着装置３６とが搭載され、画像形成装置本体１２の上部に排出口３４を有し、これらを連通するように、被転写材としての記録紙等の記録媒体が搬送される搬送路３２が設けられている。以下、各構成について説明する。
【００２８】
給紙ユニット１８は、給紙ユニット本体２０と、被転写材としての記録媒体が収容される給紙カセット２２、給紙カセット２２に積載された記録媒体を引き出すピックアップロール２４、記録媒体を捌きながら送り出すフィードロール２８及びリタードロール２６とが配設されている。このピックアップロール２４、フィードロール２８及びリタードロール２６の回転によって、給紙カセット２２に積載された記録媒体が搬送路３２に沿って後述するレジストロール３８に搬送される。なお、給紙カセット２２は、給紙ユニット本体２０に対して着脱自在に装着されている。また、給紙ユニットの数は１つでもよく、また、複数設けられてもよいが、実施形態では、図１に示すように、２つの給紙ユニット１８が設けられている。
【００２９】
画像形成手段１４は、電子写真方式のもので、第１の回転体としての像保持体４２と、この像保持体４２を一様帯電する例えば帯電ロールからなる帯電装置５６と、この帯電装置５６により帯電された像保持体４２に、光により潜像を書き込む光書込み装置５８と、この光書込み装置５８により形成された像保持体４２の潜像をトナーにより可視化するよう現像ロールを有する現像装置６０と、この現像装置６０によるトナー像を記録媒体に転写する第２の回転体としての転写装置４８と、像保持体４２に残存するトナーをクリーニングするクリーニング装置６２と、転写装置４８により転写された記録媒体上のトナー像を記録媒体に定着させる定着装置３６とから構成されている。
【００３０】
また、図２に示すように、像保持体４２は、所定の径を有する像保持体ドラム４４と、この像保持体ドラム４４の両端から突出した第１の軸部４６を有しており、第１の軸部４６の両端は、不図示のフレーム体に回転自在に取り付けられている。また、転写装置４８は、所定の径を有する転写ロール５０と、この転写ロール５０の両端から突出した第２の軸部５２を有しており、第２の軸部５２の両端には、ばね等の付勢手段７０が設けられた軸受６８に取り付けられている。そして、像保持体４２及び転写装置４８は、転写装置４８に設けられた付勢手段７０により像保持体４２方向に押圧されて接触されている。なお、付勢手段７０は画像形成装置本体１２を構成するフレーム体７２に取り付けられている。
【００３１】
このとき、像保持体４２の像保持体ドラム４４は転写装置４８の転写ロール５０より長く形成されており、また、像保持体ドラム４４の方が転写ロール５０に比べて大きい径となっている。そして、像保持体ドラム４４より短く形成された転写ロール５０の両側の第２の軸部に、像保持体４２の像保持体ドラム４４と対応する位置に、後述する離間装置７８を構成する離間部材８０がそれぞれ設けられている。なお、図２では、画像形成装置１０が使用できる状態を示しているので、離間部材８０は、自重により下方に垂れ下がった状態となっており、像保持体４２の像保持体ドラム４４と転写装置４８の転写ロール５０とが接触されている。
【００３２】
光書込み装置５８は、例えば走査型のレーザ露光装置からなり、後述するプロセスカートリッジ６４を横切り、像保持体４２に潜像を形成する。なお、光書込み装置５８は、他の実施形態としてＬＥＤや面発光レーザ等を用いることができる。
【００３３】
プロセスカートリッジ６４は、像保持体４２、帯電装置５６、現像装置６０及びクリーニング装置６２を一体化したものであり、これらを一体として交換できるようになっている。このプロセスカートリッジ６４は、排出部１６を開くことにより、画像形成装置本体１２から取り出すことができる。
【００３４】
搬送路３２は、下部の給紙ユニット１８のピックアップロール２４から画像形成装置本体１２の上部の排出口３４まで連通される記録媒体の通路である。この搬送路３２は、画像形成装置本体１２の内部にあって、下部の給紙ユニット１８のピックアップロール２４から定着装置３６まで略鉛直に形成されている部分を有する。
【００３５】
この搬送路３２の定着装置３６の上流側に転写装置４８と像保持体４２が配置され、さらに転写装置４８と像保持体４２の上流側にレジストロール３８が配置されている。さらに、搬送路３２の排出口３４の近傍には排出ロール４０が配置されている。
【００３６】
したがって、給紙ユニット１８の給紙カセット２２からピックアップロール２４により送り出された記録媒体は、リタードロール２６及びフィードロール２８により捌かれて搬送路３２に導かれ、レジストロール３８により一次停止され、タイミングをとって転写装置４８と像保持体４２との間を通って現像剤像が転写され、この転写された現像剤像が定着装置３６により定着され、排出ロール４０により排出口３４から排出部１６へ排出されるようになっている。
【００３７】
次に、画像形成装置１０に設けられた離間装置７８について説明する。離間装置７８は、図２に示すように、第２の回転体としての転写装置４８を構成する第２の軸部５２に設けられている。そして、画像形成装置１０が使用される前において、転写装置４８の転写ロールと像保持体４２の像保持体ドラム４４を長時間接触させておかないようにするために、離間装置により、転写装置４８と像保持体４２とを離間させている。
【００３８】
離間装置７８は、転写装置４８の第２の軸部５２の両側に設けられた２つの離間部材８０、８０を有している。なお、以下、２つの離間部材８０、８０をまとめて離間部材８０という場合がある。
【００３９】
次に、離間部材８０について説明する。なお、各離間部材８０は、いずれも同じ構成となっているので、一方の離間部材８０を代表して説明する。離間部材８０は、図２及び図３に示すように、所定の厚さを有する板状の離間部材本体８２を有している。また、離間部材本体８２には、離間部材本体８２を貫通し、第２の軸部５２が挿通される開口部８４と、長手方向の一方の端部に像保持体４２と転写装置４８を離間させる際に像保持体４２の像保持体ドラム４４を支持する支持部８６とが形成されている。
【００４０】
開口部８４は、転写装置４８の第２の軸部５２が挿通する部分となり、挿通された第２の軸部５２に形成された引っ掛け部６６に引っ掛かる引っ掛かり部８８と、挿通された第２の軸部５２が空転して回転する空転部９０とを有している。
【００４１】
なお、引っ掛かり部８８は、空転部９０に対して開口部８４において、支持部８６側に形成されている。また、空転部９０は、離間部材８０の重心の位置よりも支持部８６側から離れた位置に形成されている。なお、引っ掛かり部８８の形成される位置は、離間部材８０が第２の軸部５２に挿通され、像保持体４２の像保持体ドラム４４に当接して支持した場合、離間部材８０の引っ掛かり部８８と支持部８６の間の長さが転写装置４８と像保持体４２を離間できる長さを有するような位置に形成される（図３参照）。
【００４２】
また、引っ掛かり部８８は、第２の軸部５２に形成された引っ掛け部６６に引っ掛かる形状で形成されている。なお、実施形態１の離間部材８０では、図２及び図３に示すように、第２の軸部５２の引っ掛け部６６は断面が四角形状となっているため、第２の軸部５２の引っ掛かり部８８は、第２の軸部５２の引っ掛け部６６が嵌り込むように、３方が直線で囲まれた箱状に形成されている。なお、引っ掛け部は断面が四角形状に限らず、三角形状や五角形状等の多角形状としてもよい。
【００４３】
また、空転部９０は、第２の軸部５２に形成された引っ掛け部６６が空転できるような大きさ及び形状で形成されており、実施形態１では図２及び図３に示すように円形に形成されている。
【００４４】
そして、離間部材８０は、転写装置４８の転写ロール５０の両側の第２の軸部５２に取り付けられ、像保持体４２の像保持体ドラム４４に離間部材８０の支持部８６が当接して支持するように配置され、転写装置４８と像保持体４２とを離間させるようになる。
【００４５】
次に、図３及び図４を参照して実施形態１の離間装置７８の使用態様について説明する。なお、図４では軸受の記載を省略している。使用前の画像形成装置１０において離間装置７８の離間部材８０は、図３及び図４Ａに示すように、転写装置４８と像保持体４２を離間させるようにそれぞれ設けられている。このとき、離間部材８０は、転写装置４８に設けられた付勢手段７０により、像保持体４２側に押圧されており、また、第２の軸部５２の引っ掛け部６６と開口部８４の引っ掛かり部８８が引っ掛かることで、離間部材８０が外れないようになっている。
【００４６】
その後、初めて画像形成装置１０を使用すると、像保持体４２が動力（不図示）により図４を平面視した場合に時計周りに回転し、像保持体４２が回転することで、転写装置４８に回転が伝わり、転写装置４８が反時計周りに回転することになる。このとき、転写装置４８の回転は、まず、像保持体４２の像保持体ドラム４４と当接して支持している離間部材８０に伝わり、転写装置４８の回転に応じて離間部材８０が第２の軸部５２を軸として回転する。なお、離間部材８０の回転は、離間部材８０の開口部８４の引っ掛かり部８８に第２の軸部５２の引っ掛け部６６が引っ掛かることで、転写装置４８も回転される。
【００４７】
次に、離間部材８０が一定の距離を回転すると、図４Ｂに示すように、離間部材８０の支持部８６による像保持体４２の像保持体ドラム４４の支持が外れ、像保持体ドラム４４と転写装置４８の転写ロール５０とが接触するようになる、この接触は、転写装置４８に設けられた付勢手段７０により、転写装置４８が像保持体４２方向に押圧されて行なわれる。
【００４８】
その後、像保持体４２の回転により、転写装置４８が回転されることで、図４Ｃ及び図４Ｄに示すように、離間部材８０がさらに回転する。このとき、離間部材８０は、開口部８４の引っ掛かり部８８が第２の軸部５２の引っ掛け部６６に引っ掛かることで、第２の軸部５２の回転に応じて回転することになる。
【００４９】
離間部材８０がさらに回転し、離間部材８０の支持部８６側が、水平の位置から下側に向き始めると、図４Ｅに示すように、離間部材８０は、支持部８６側が重力により引っ張られ、下方に向かって移動するようになる。このとき、第２の軸部５２の引っ掛け部６６は、開口部８４の引っ掛かり部８８から空転部９０へと移動される。
【００５０】
離間部材８０の支持部８６側が、重力方向に向いた場合、第２の軸部５２の引っ掛け部６６は開口部８４の空転部９０に配置されるため、転写装置４８が回転しても第２の軸部５２の引っ掛け部６６が空転部９０を空転するので、離間部材８０は回転しなくなる。
【００５１】
以上により、離間装置による転写装置と像保持体の離間が解除され、図１及び図２に示したように画像形成装置を使用できる状態となる。
【００５２】
［変形例１］
次に、図５を参照して、離間装置及び画像形成装置の変形例１について説明する。なお、実施形態１の離間装置及び画像形成装置と共通する構成については同一の符号を付し、詳細な説明は省略する。
【００５３】
実施形態１の離間装置７８を構成する離間部材８０では、第２の軸部５２の引っ掛け部６６の形状を断面が四角形状としたが、変形例１では、図５に示すように、第２の軸部５２Ａを円柱状とし、この円柱状の第２の軸部５２Ａの長手方向に沿って平らな平面部を形成した、いわゆるＤカットとしている。そして、この第２の軸部５２Ａの平面部が引っ掛け部６６Ａとなり、離間部材８０Ａの開口部８４Ａの引っ掛かり部８８Ａに引っ掛かるようになる。なお、図５では軸受の記載を省略している。
【００５４】
また、変形例１の離間装置７８Ａの使用態様については、図５Ａに示すように、転写装置４８Ａと像保持体４２は離間部材８０Ａにより離間されている。そして、図５を平面視した場合に、像保持体４２が時計回りに回転すると、転写装置４８Ａが反時計周りに回転し、転写装置４８Ａの第２の軸部５２Ａに取り付けられた離間部材８０Ａが反時計周りに回転する。このとき、離間部材８０Ａが回転すると、転写装置４８Ａの転写ロール５０と像保持体４２の像保持体ドラム４４が接触するようになる（図５Ｂ参照）。
【００５５】
その後、図５Ｃ及び図５Ｄに示すように、離間部材８０Ａは、開口部８４Ａの引っ掛かり部８８Ａが第２の軸部５２Ａの引っ掛け部６６Ａに引っ掛かりながら回転し、離間部材８０Ａの支持部８６側が水平の位置から下側に向き始めると、離間部材８０Ａは、支持部８６側が重力により引っ張られ、下方に向かって移動するようになる。そして、図５Ｄに示すように、第２の軸部５２Ａの引っ掛け部６６Ａは、開口部８４Ａの引っ掛かり部８８Ａから空転部９０へと移動され、第２の軸部５２Ａは空転部９０で回転することで、離間部材８０Ａは回転しないようになる。
【００５６】
［変形例２］
次に、図６を参照して、離間装置及び画像形成装置の変形例２について説明する。なお、実施形態１の離間装置及び画像形成装置と共通する構成については同一の符号を付し、詳細な説明は省略する。
【００５７】
変形例２の離間装置７８Ｂを構成する離間部材８０Ｂは、図６に示すように、円柱状の第２の軸部５２Ｂに溝状の引っ掛け部６６Ｂを長手方向に沿って形成し、離間部材８０Ｂには、この溝状の引っ掛け部６６Ｂに嵌り込む突起状の引っ掛かり部８８Ｂを開口部８４Ｂに形成している。なお、図６では軸受の記載を省略している。
【００５８】
また、変形例２の離間装置７８Ｂの使用態様については、図６Ａに示すように、転写装置４８Ｂと像保持体４２は離間部材８０Ｂにより離間されている。そして、図６を平面視した場合に、像保持体４２が時計回りに回転すると、転写装置４８Ｂが反時計周りに回転し、転写装置４８Ｂの第２の軸部５２Ｂに取り付けられた離間部材８０Ｂも反時計周りに回転する。このとき、離間部材８０Ｂが回転すると、転写装置４８Ｂの転写ロール５０と像保持体４２の像保持体ドラム４４が接触するようになる（図６Ｂ参照）。
【００５９】
その後、図６Ｃ及び図６Ｄに示すように、離間部材８０Ｂは、開口部８４Ｂの引っ掛かり部８８Ｂが第２の軸部５２Ｂの引っ掛け部６６Ｂに引っ掛かりながら回転し、離間部材８０Ｂの支持部８６側が水平の位置から下側に向き始めると、離間部材８０Ｂは、支持部８６側が重力により引っ張られ、下方に向かって移動するようになる。そして、第２の軸部５２Ｂの引っ掛け部６６Ｂは、図６Ｅに示すように、開口部８４Ｂの引っ掛かり部８８Ｂから空転部９０へと移動され、第２の軸部５２Ｂの引っ掛け部６６Ｂは空転部９０で回転することで、離間部材８０Ｂは回転しないようになる。
【００６０】
また、実施形態１の画像形成装置１０では、像保持体４２は図３に示したように平面視で時計回りに回転させているが、これに限らず、図７に示すように、反時計周りに回転させてもよい。すなわち、像保持体４２を反時計周りに回転させると、図７Ａに示すように、離間部材８０及び転写装置４８は時計周りに回転するようになる。
【００６１】
そして、離間部材８０が一定の距離を回転すると、図７Ｂに示すように像保持体４２と転写装置４８の離間部材８０による離間が解除され、接触するようになる。その後、離間部材８０の支持部８６側が水平の位置から下側に向き始めると、離間部材８０は、支持部８６側が重力により引っ張られ、下方に向かって移動するようになる。
【００６２】
そして、図７Ｃに示すように、第２の軸部５２の引っ掛け部６６は、離間部材８０の開口部８４の引っ掛かり部８８から空転部９０へと移動され、第２の軸部５２の引っ掛け部６６は空転部９０で回転することで、離間部材８０は回転しないようになる。なお、図７では軸受の記載を省略している。
【００６３】
［実施形態２］
実施形態１の離間装置７８では、各離間部材８０を第２の回転体としての転写装置４８側に設けた場合を説明したが、実施形態２の離間装置７８Ｄでは、各離間部材８０を第１の回転体としての像保持体４２Ｄ側に設けた場合を説明する。なお、実施形態１の離間装置７８及び画像形成装置１０と共通する構成については同一の符号を付し、詳細な説明は省略する。
【００６４】
図８に示すように、実施形態２の像保持体４２Ｄは、所定の径を有する像保持体ドラム４４と、この像保持体ドラム４４の両端から突出した第１の軸部４６Ｄを有しており、第１の軸部４６Ｄの両端は、不図示のフレーム体に回転自在に取り付けられている。
【００６５】
また、実施形態２の転写装置４８Ｄは、所定の径を有する転写ロール５０と、この転写ロール５０の両端から突出した第２の軸部５２Ｄを有しており、第２の軸部５２Ｄの両端には、ばね等の付勢手段７０が設けられた軸受６８に取り付けられている。
【００６６】
このとき、転写装置４８Ｄの転写ロール５０は像保持体４２Ｄの像保持体ドラム４４より長く形成されている。そして、転写ロール５０より短く形成された像保持体ドラム４４の両側の第１の軸部４６Ｄに、転写ロール５０と対応する位置に、離間部材８０がそれぞれ設けられている。
【００６７】
そして、実施形態２の離間装置７８Ｄは、像保持体４２Ｄの第１の軸部４６Ｄに離間部材８０がそれぞれ設けられており、画像形成装置１０が使用される前において、この離間部材８０により、像保持体４２Ｄと転写装置４８Ｄとが離間されている。
【００６８】
なお、離間部材８０の構成は、実施形態１の離間部材８０と共通するので詳細な説明は省略する。
【００６９】
次に、図８及び図９を参照して実施形態２の離間装置７８Ｄの使用態様について説明する。なお、図９では軸受の記載を省略している。使用前の画像形成装置１０において離間装置７８Ｄの離間部材８０は、図８及び図９Ａに示すように、転写装置４８Ｄと像保持体４２Ｄを離間させるようにそれぞれ設けられている。このとき、離間部材８０は、転写装置４８Ｄに設けられた付勢手段７０により、像保持体４２Ｄ側に押圧されており、また、第２の軸部５２Ｄの引っ掛け部６６Ｄと開口部８４の引っ掛かり部８８が引っ掛かることで、離間部材８０の移動が抑制されている。
【００７０】
その後、初めて画像形成装置１０Ｄを使用すると、像保持体４２Ｄが動力（不図示）により図９を平面視した場合に時計周りに回転し、像保持体４２Ｄが回転することで、第１の軸部４６Ｄに取り付けられた離間部材８０も回転する。なお、離間部材８０の回転は、離間部材８０の開口部８４の引っ掛かり部８８に第１の軸部４６Ｄの引っ掛け部６６Ｄが引っ掛かることで回転される。また、離間部材８０が時計回りに回転すると、離間部材８０に支持されている転写装置４８Ｄに回転が伝わり、転写装置４８Ｄが反時計周りに回転することになる。
【００７１】
次に、離間部材８０が一定の距離を回転すると、図９Ｂに示すように、離間部材８０の支持部８６による転写装置４８Ｄの転写ロール５０の支持が外れ、転写ロール５０と像保持体４２Ｄの像保持体ドラム４４とが接触するようになる、この接触は、転写装置４８Ｄに設けられた付勢手段７０により、転写装置４８Ｄが像保持体４２Ｄ方向に押圧されて行なわれる。
【００７２】
その後、像保持体４２Ｄの回転により、図９Ｃ及び図９Ｄに示すように、離間部材８０がさらに回転する。このとき、離間部材８０は、開口部８４の引っ掛かり部８８が第１の軸部４６Ｄの引っ掛け部６６Ｄに引っ掛かることで、第１の軸部４６の回転に応じて回転することになる。
【００７３】
離間部材８０がさらに回転し、離間部材８０の支持部８６側が、水平の位置から下側に向き始めると、図９Ｅに示すように、離間部材８０は、支持部８６側が重力により引っ張られ、下方に向かって移動するようになる。このとき、第１の軸部４６Ｄの引っ掛け部６６Ｄは、開口部８４の引っ掛かり部８８から空転部９０へと移動される。
【００７４】
離間部材８０の支持部８６側が重力方向に向いた場合、第１の軸部４６Ｄの引っ掛け部６６Ｄは開口部８４の空転部９０に配置されるため、像保持体４２が回転しても第１の軸部４６の引っ掛け部６６Ｄが空転部９０を空転するので、離間部材８０は回転しなくなる。
【００７５】
以上により、離間装置による転写装置と像保持体の離間が解除され、図２に示したように画像形成装置を使用できる状態となる
【００７６】
なお、実施形態２の離間装置においても、第１の軸部の引っ掛け部と離間部材の引っ掛かり部を上述した実施形態１の変形例１及び２で示したような形状としてもよい。
【００７７】
さらに、実施形態２の像保持体４２Ｄは図９に示したように平面視で時計回りに回転させているが、これに限らず、図１０に示すように、反時計周りに回転させてもよい。すなわち、像保持体４２Ｄを反時計周りに回転させると、図１０Ａに示すように、離間部材８０も反時計回りに回転し、転写装置４８は時計周りに回転するようになる。
【００７８】
そして、離間部材８０が一定の距離を回転すると、図１０Ｂに示すように像保持体４２と転写装置４８の離間が解除され、接触するようになる。その後、離間部材８０Ｂの支持部８６側が水平の位置から下側に向き始めると、離間部材８０は、支持部８６側が重力により引っ張られ、下方に向かって移動するようになる。
【００７９】
そして、図１０Ｃに示すように、第１の軸部４６Ｄの引っ掛け部６６Ｄは、離間部材８０の開口部８４の引っ掛かり部８８から空転部９０へと移動され、第１の軸部４６Ｄの引っ掛け部６６Ｄは空転部９０で回転することで、離間部材８０は回転しないようになる。なお、図１０では軸受の記載を省略している。
【００８０】
［実施形態３］
実施形態１の画像形成装置では、第１の回転体を像保持体４２とし、第２の回転体を転写装置４８とし、これらの像保持体４２と転写装置４８の間を離間装置７８の離間部材８０で離間させる場合を説明した（図２参照）。一方、実施形態３の画像形成装置１１０では、第１の回転体を二次転写ロール１５６とし、第２の回転体を二次転写ロール１５６と対向する支持ロール１６０ａとし、この二次転写ロール１５６と支持ロール１６０ａの間を離間装置７８Ｅの離間部材８０で離間させるものである。さらに、実施形態３の画像形成装置１１０では、二次転写ロール１５６と支持ロール１６０ａの間には、無端ベルト状の被転写部材１５２が設けられている（図１１及び図１２参照）。なお、実施形態３の離間部材８０及び画像形成装置１１０については、実施形態１の離間部材８０及び画像形成装置１０と共通する構成については同一の符号を付し、詳細な説明は省略する。
【００８１】
まず、図１１及び図１２を参照して、実施形態３の離間装置７８Ｅを備える画像形成装置１１０について説明する。実施形態３の画像形成装置１１０は、画像形成装置本体１１２を有し、画像形成装置本体１１２の上側の面には、画像の形成された記録媒体が排出される排出部１１４が設けられている。
【００８２】
画像形成装置本体１１２内には、記録媒体に転写する画像を形成する画像形成部１２０と、この画像形成部１２０に記録媒体を供給する記録媒体供給装置１２２と、この記録媒体供給装置１２２から供給された記録媒体を排出部１１４まで搬送する搬送路１２４とが配設されている。
【００８３】
画像形成部１２０は、例えば、イエロー（Ｙ）、マゼンタ（Ｍ）、シアン（Ｃ）、黒（Ｋ）の４色に対応するプロセスカートリッジ１３０Ｙ、１３０Ｍ、１３０Ｃ、１３０Ｋと、光書き込み装置１３２と、転写装置１３４とにより構成される。プロセスカートリッジ１３０Ｙ、１３０Ｍ、１３０Ｃ、１３０Ｋ及びこれらの構成要素は、形成する画像の色以外は同様に構成されている。以下、各色に対応する構成については、Ｙ、Ｍ、Ｃ、Ｋを省略して「プロセスカートリッジ１３０」等のように総称して記載する場合がある。
【００８４】
プロセスカートリッジ１３０は、例えばカラー画像を形成する電子写真方式のものである。プロセスカートリッジ１３０はそれぞれ、プロセスカートリッジ本体１４０を備える。プロセスカートリッジ本体１４０内には、現像剤像を担持する像保持体としてのドラム形状の像保持体としての像保持体１４２と、この像保持体１４２を一様に帯電する帯電ロールを備えた帯電手段としての帯電装置１４４と、像保持体１４２に書き込まれた潜像を現像剤（トナー）で現像する現像器１４６と、像保持体１４２に残留する廃現像剤を例えば掻き取って清掃する清掃装置１４８とが設けられている。
【００８５】
現像器１４６は、それぞれが収納するＹ、Ｍ、Ｃ、Ｋの現像剤を用いて、対応する像保持体１４２に形成された潜像を現像する。
【００８６】
光書き込み装置１３２は潜像形成装置として用いられ、像保持体１４２それぞれに対して光を照射して、これら像保持体１４２それぞれの表面に潜像を形成する。
【００８７】
転写装置１３４は、転写体として用いられる被転写部材１５２と、一次転写装置として用いられる一次転写ロール１５４Ｙ、１５４Ｍ、１５４Ｃ、１５４Ｋと、二次転写装置として用いられる二次転写ロール１５６と、清掃装置１５８とを有する。
【００８８】
被転写部材１５２は、例えば無端状のベルト形状であり、５つの支持ロール１６０ａ、１６０ｂ、１６０ｃ、１６０ｄ、１６０ｅによって、図１１に矢印で示す方向に回転することができるように支持されている。支持ロール１６０ａ、１６０ｂ、１６０ｃ、１６０ｄ、１６０ｅのうち少なくとも一つはモータ等の動力源（付図示）に連結されており、この動力源からの駆動伝達を受けて回転することで、被転写部材１５２が回転駆動するようになっている。
【００８９】
支持ロール１６０ａは、二次転写ロール１５６と対向するように配置され、この二次転写ロール１５６のバックアップロールとして機能する。二次転写ロール１５６と支持ロール１６０ａとで挟まれる部分が二次転写位置となる。
【００９０】
一次転写ロール１５４は、それぞれに対応する現像器１４６により像保持体１４２の表面に形成された現像剤像を、被転写部材１５２に転写する。
【００９１】
二次転写ロール１５６は、被転写部材１５２に転写されたＹ、Ｍ、Ｃ、Ｋの現像剤像を、記録媒体に対して転写する。
【００９２】
また、図１２に示すように、二次転写ロール１５６は、両端から突出した第１の軸部１５７を有し、第１の軸部１５７の両端は、不図示のフレーム体に回転自在に取り付けられている。また、支持ロール１６０ａは、両端から突出した第２の軸部１６１を有し、第２の軸部１６１の両端には、ばね等の付勢手段７０が設けられた軸受６８に取り付けられている。そして、二次転写ロール１５６及び支持ロール１６０ａは、支持ロール１６０ａ側のフレーム体７２に設けられた付勢手段７０により二次転写ロール１５６方向に被転写部材１５２を挟んで押圧されている。このとき、二次転写ロールは支持ロール１６０ａより長く形成されている。
【００９３】
そして、二次転写ロール１５６より短く形成された支持ロール１６０ａの両側の第２の軸部に、二次転写ロール１５６と対応する位置に、離間装置７８Ｅを構成する離間部材８０がそれぞれ設けられている。
【００９４】
なお、実施形態３の離間部材８０の構成は、実施形態１の離間部材８０の構成と共通するので詳細な説明は省略する。
【００９５】
清掃装置１５８は、二次転写ロール１５６で記録媒体に対して各色の現像剤像が転写された後に、被転写部材１５２の表面に残留する各色の現像剤を掻き落とす掻き落とし部材１６２を有する。掻き落とし部材１６２によって掻き落とされた現像剤は、清掃装置１５８の本体内に回収される。
【００９６】
記録媒体供給装置１２２は、記録媒体を積層した状態で収納する記録媒体収納容器１７２と、この記録媒体収納容器１７２に収納された最上位の記録媒体を抽出し、抽出した記録媒体を画像形成部１２０に向けて搬送する搬送ロール１７４と、記録媒体を捌き、画像形成部１２０に複数枚の記録媒体が重なった状態で搬送されることを防止するリタードロール１７６とを有する。
【００９７】
搬送路１２４は、主搬送路１８２と、反転搬送路１８４とにより構成される。
【００９８】
主搬送路１８２は、記録媒体供給装置１２２から供給された記録媒体を画像形成部１２０に搬送し、画像が形成された記録媒体を排出部１１４に排出する。主搬送路１８２には記録媒体搬送方向上流側から順に、搬送ロール１７４、リタードロール１７６、レジストロール１８６、転写装置１３４、定着装置１８８、及び排出ロール１９０が配置されている。
【００９９】
反転搬送路１８４は、一方の面に現像剤像が形成された記録媒体を反転させつつ、再び画像形成部１２０に向けて供給する搬送路である。反転搬送路１８４には、例えば二つの反転搬送ロール１９８ａ、１９８ｂが配置されている。
【０１００】
次に、図１３及び図１４を参照して実施形態３の離間装置７８の使用態様について説明する。なお、図１４では軸受の記載を省略している。使用前の画像形成装置１１０において離間装置７８の離間部材８０は、図１３及び図１４に示すように、支持ロール１６０ａと二次転写ロール１５６を離間させるようにそれぞれ設けられており、この離間された隙間に被転写部材１５２が設けられる。このとき、離間部材８０は、支持ロール１６０ａに設けられた付勢手段７０により、二次転写ロール１５６側に押圧されており、また、第２の軸部１６１の引っ掛け部６６と開口部８４の引っ掛かり部８８が引っ掛かることで、離間部材８０の移動が抑制されている。
【０１０１】
その後、初めて画像形成装置１１０を使用すると、被転写部材１５２が図１４を平面視した場合に反時計周りに移動し、この移動する被転写部材１５２により支持ロール１６０ａが反時計周りに回転するようになる。支持ロール１６０ａが回転すると、図１４Ａに示すように、支持ロール１６０ａの第２の軸部１６１に設けられた離間部材８０も反時計周りに回転するようになる。そして、離間部材８０に接触されている二次転写ロール１５６が、離間部材８０の回転に応じて、平面視で時計回りに回転するようになる。
【０１０２】
次に、離間部材８０が一定の距離を回転すると、図１４Ｂに示すように、離間部材８０の支持部８６による二次転写ロール１５６の支持が外れ、二次転写ロール１５６と支持ロール１６０ａとが接近し、この二次転写ロール１５６と支持ロール１６０ａとの間に設けられた被転写部材１５２が押圧されて、挟まれるようになる、この被転写部材１５２との接触は、支持ロール１６０ａに設けられた付勢手段７０により、支持ロール１６０ａが二次転写ロール１５６方向に押圧されて行なわれる。
【０１０３】
その後、被転写部材１５２の移動により支持ロール１６０ａが回転されると、図１４Ｃ及び図１４Ｄに示すように、離間部材８０がさらに回転する。このとき、離間部材８０は、開口部８４の引っ掛かり部８８が第２の軸部１６１の引っ掛け部６６に引っ掛かることで、第２の軸部１６１の回転に応じて回転することになる。
【０１０４】
離間部材８０がさらに回転し、離間部材８０の支持部８６側が、水平の位置から下側に向き始めると、図１４Ｅに示すように、離間部材８０は、支持部８６側が重力により引っ張られ、下方に向かって移動するようになる。このとき、第２の軸部１６１は、開口部８４の引っ掛かり部８８から空転部９０へと移動される。
【０１０５】
離間部材８０の支持部８６側が、重力方向に向いた場合、第２の軸部１６１は開口部８４の空転部９０に配置されるため、支持ロール１６０ａが回転しても第２の軸部１６１が空転部９０を空転するので、離間部材８０は回転しなくなる。
【０１０６】
以上により、離間装置による支持ロールと二次転写ロールの離間が解除され、被転写部材が押圧されて挟まれることで、図１１及び図１２に示したように画像形成装置を使用できる状態となる。
【０１０７】
なお、実施形態３の離間装置は、離間部材を支持ロール側に設けた場合を示したが、これに限らず、離間部材を二次転写ロール側に設けるようにしてもよい。
【０１０８】
また、実施形態３の第２の軸部の引っ掛け部と離間部材の引っ掛かり部の形状を上記実施形態１の変形例１又は２のようにしてもよい。
【符号の説明】
【０１０９】
１０、１０Ｄ：画像形成装置  １２：画像形成装置本体  １４：画像形成手段  １６：排出部  １８：給紙ユニット  ２０：給紙ユニット本体  ２２：給紙カセット  ２４：ピックアップロール  ２６：リタードロール  ２８：フィードロール  ３２：搬送路  ３４：排出口  ３６：定着装置  ３８：レジストロール  ４０：排出ロール  ４２、４２Ｄ：像保持体  ４４：像保持体ドラム  ４６、４６Ｄ：第１の軸部  ４８、４８Ａ、４８Ｂ、４８Ｄ：転写装置  ５０：転写ロール  ５２、５２Ａ、５２Ｂ、５２Ｄ：第２の軸部  ５６：帯電装置  ５８：光書込み装置  ６０：現像装置  ６２：クリーニング装置  ６４：プロセスカートリッジ  ６６、６６Ａ、６６Ｂ、６６Ｄ：引っ掛け部  ６８：軸受  ７０：付勢手段  ７２：フレーム体  ７８、７８Ａ、７８Ｂ、７８Ｄ、７８Ｅ：離間装置  ８０、８０Ａ、８０Ｂ：離間部材  ８２：離間部材本体  ８４、８４Ａ、８４Ｂ：開口部  ８６：支持部  ８８、８８Ａ、８８Ｂ：引っ掛かり部  ９０：空転部  １１０：画像形成装置  １１２：画像形成装置本体  １１４：排出部  １２０：画像形成部  １２２：記録媒体供給装置  １２４：搬送路  １３０、１３０Ｙ、１３０Ｍ、１３０Ｃ、１３０Ｋ：プロセスカートリッジ  １３２：光書き込み装置  １３４：転写装置  １４０：プロセスカートリッジ本体  １４２：像保持体  １４４：帯電装置  １４６：現像器  １４８：清掃装置  １５２：被転写部材  １５４、１５４Ｙ、１５４Ｍ、１５４Ｃ、１５４Ｋ：一次転写ロール  １５６：二次転写ロール  １５７：第１の軸部  １５８：清掃装置  １６０ａ、１６０ｂ、１６０ｃ、１６０ｄ、１６０ｅ：支持ロール  １６１：第２の軸部  １６２：掻き落とし部材  １７２：記録媒体収納容器  １７４：搬送ロール  １７６：リタードロール  １８２：主搬送路  １８４：反転搬送路  １８６：レジストロール  １８８ａ：加熱ロール  １８８ｂ：加圧ロール  １８８：定着装置  １９０：排出ロール  １９８ａ、１９８ｂ：反転搬送ロール
【図１】
0006436345.tif 000002
【図２】
0006436345.tif 000003
【図３】
0006436345.tif 000004
【図４】
0006436345.tif 000005
【図５】
0006436345.tif 000006
【図６】
0006436345.tif 000007
【図７】
0006436345.tif 000008
【図８】
0006436345.tif 000009
【図９】
0006436345.tif 000010
【図１０】
0006436345.tif 000011
【図１１】
0006436345.tif 000012
【図１２】
0006436345.tif 000013
【図１３】
0006436345.tif 000014
【図１４】
0006436345.tif 000015